(57)【要約】【課題】像振れレンズユニットの不所望な移動を阻止する。【解決手段】押圧式ロック機構７により、防振レンズユニットＶＲＵの保持部材３を受け部材５に押圧する。ロック機構７の移動に伴い、ロック機構７および保持部材３にそれぞれ設けた係合部７ｅ，３ａが係合し、防振レンズユニットＶＲＵが自動的に基準位置に位置決めされる（防振レンズ２の光軸が撮影光軸Ｌと一致する）。その後、保持部材３が受け部材５に押圧され、防振レンズユニットＶＲＵの撮影光軸Ｌと交叉する方向の移動がロックされる。【選択図】図１
2007133009.tif 000002
【特許請求の範囲】
【請求項１】
像振れ補正用のレンズを保持して撮影光軸と交差する方向に移動可能なレンズ保持部材と、前記レンズ保持部材を、前記レンズを囲繞する環状部分で、または複数の箇所で光軸方向に押圧して前記レンズ保持部材の移動を制限する制限機構とを有することを特徴とする像振れ補正装置。
【請求項２】
前記制限機構を駆動するための電気アクチュエータを更に備えたことを特徴とする請求項１に記載の像振れ補正装置。
【請求項３】
前記制限機構はねじ手段を有し、そのねじ作用により前記押圧を行うこと特徴とする請求項１または２に記載の像振れ補正装置。
【請求項４】
前記制限機構および前記レンズ保持部材には、それぞれ互いに係合可能な係合部が設けられ、前記制限機構による押圧の際に前記両係合部の係合により前記レンズ保持部材が基準位置に向かって光軸と交差する方向に駆動されることを特徴とする請求項１〜３のいずれかに記載の像振れ補正装置。
【請求項５】
前記レンズ保持部材の係合部は、前記レンズの光軸を中心とする円環状の溝または突部であり、前記制限機構の係合部は、前記撮影光軸を中心とする円環状の突部または溝であることを特徴とする請求項４に記載の像振れ補正装置。
【請求項６】
前記押圧による前記両係合部の係合は、前記レンズ保持部材の可動範囲全般において可能であることを特徴とする請求項４または５に記載の像振れ補正装置。
【発明の詳細な説明】
【技術分野】
【０００１】
本発明は、カメラや交換レンズ等に組み込まれる光学的像振れ補正装置に関する。
【背景技術】
【０００２】
光学的像振れ補正が可能なカメラは、手振れ等に起因するカメラの振動を振れセンサで検出し、その検出結果に基づいて、撮影光学系の一部である防振レンズを光軸と直交する方向に駆動することで像振れを補正し、以て良好な撮影画像を得る。
【０００３】
カメラは、例えばレリーズボタンの半押し操作で上記防振レンズの防振駆動を開始し、半押し操作解除から所定時間経過後に防振駆動を停止する。その後、防振レンズを所定の基準位置に戻し、ロックする。基準位置は、防振レンズの光軸が撮影光軸と一致する位置とされる。また防振レンズのロックは、防振レンズの保持部材に形成されたロック孔にロックピンを挿入することで行うのが一般的である（例えば、特許文献１参照）。
【０００４】
【特許文献１】特開２００２−１０７７８４号公報
【発明の開示】
【発明が解決しようとする課題】
【０００５】
上記防振レンズのロック機構において、ロックピンをロック孔にスムーズに挿脱するには、両者の間にガタを持たせる必要がある。このためロック時においても、ガタの分だけ防振レンズは光軸方向に移動が許容され、カメラに加わる振動や撮影姿勢の変更などによって防振レンズが移動したり、あるいはロックピンを中心に防振レンズが回転してしまうおそれもある。このように防振レンズの位置が安定しないと、レンズの投影解像力が不安定となる。
【課題を解決するための手段】
【０００６】
本発明に係る像振れ補正装置は、像振れ補正用のレンズを保持して撮影光軸と交差する方向に移動可能なレンズ保持部材と、レンズ保持部材を、レンズを囲繞する環状部分で、または複数の箇所で光軸方向に押圧してレンズ保持部材の移動を制限する制限機構とを有する。
制限機構を駆動するための電気アクチュエータを更に備えてもよい。制限機構にねじ手段を設け、ねじ作用により押圧を行ってもよい。制限機構およびレンズ保持部材にそれぞれ互いに係合可能な係合部を設け、制限機構による押圧の際に両係合部の係合によりレンズ保持部材が基準位置に向かって光軸と交差する方向に駆動されるようにしてもよい。レンズ保持部材の係合部を、レンズの光軸を中心とする円環状の溝または突部とし、制限機構の係合部を、撮影光軸を中心とする円環状の突部または溝としてもよい。上記押圧による両係合部の係合は、レンズ保持部材の可動範囲全般において可能とすることが望ましい。
【発明の効果】
【０００７】
本発明によれば、防振レンズ位置を安定化させることができる。
【発明を実施するための最良の形態】
【０００８】
図１〜図６により本発明の一実施の形態を説明する。
図１は本実施形態におけるカメラの光学式像振れ補正装置の要部を示している。像振れ補正装置は、防振レンズユニットＶＲＵやその駆動機構等から成り、撮影レンズ鏡筒の固定筒１内に配置される。防振レンズユニットＶＲＵは、撮影光学系の一部をなす防振レンズ群２と、その保持部材３とから成る。駆動機構により保持部材３を撮影光軸Ｌと直交する方向に駆動し、防振レンズ群２の光軸を撮影光軸Ｌから意図的にずらすことで、像の振れを抑制する。ここで、撮影光軸Ｌとは撮影光学系全体の光軸であり、防振レンズユニット以外の各レンズ光軸はこの撮影光軸Ｌと常に一致している。
【０００９】
なお、防振レンズユニットＶＲＵの駆動制御には、駆動源（例えば、ボイスコイルモータ）の他、振れを検出する振れセンサ、防振レンズ群２の位置検出装置などが必要となるが、これらは従来と同様であるため、図示および説明は省略する。
【００１０】
保持部材３は、固定筒１と一体の固定部材４，５に挟まれるよう配置される。保持部材３の図示左面には、防振レンズ群２の光軸を中心とする断面Ｖ字状の円環溝３ａが形成され、この溝３ａを用いて防振レンズユニットＶＲＵのセンタリングを行う（後で詳述する）。
【００１１】
固定部材４の右面には、撮影光軸Ｌを中心とする円環状の弾性部材６が固着され、これにより保持部材３は右方に付勢される。一方、固定部材５の左面には、撮影光軸Ｌを中心とする同心円上に複数の小突起５ａが形成され、これらの突起５ａが保持部材３の右面に当接して上記付勢力を受ける。このとき、保持部材３と個々の突起５ａとの接触は点接触となる。
【００１２】
また固定部材４には、撮影光軸Ｌを中心とするねじ孔４ａが形成され、ここにロック部材７がねじ込まれる。ロック部材７は、ねじ孔４ａに螺合される雄ねじ部７ａと、撮影光束を通すための円形の開口７ｂと、スイッチ切片７ｃとを有する。ロック部材７を固定部材４に対して螺進・螺退することで、ロック部材７を光軸Ｌ方向に移動させることができる。８は固定部材４に保持されたロック駆動モータであり、その出力軸に設けられたピニオンギア９が、ロック部材７の外周面に形成されたギア７ｄに噛み合っている。モータ８は、図２に示す制御回路２０によって駆動される。
【００１３】
さらに固定部材４には、スイッチ保持部材１０を介して一対のスイッチ切片１１，１２が光軸方向に離間して保持されている。上記ロック部材７のスイッチ切片７ｃは、ロック部材７の光軸方向の位置に応じてスイッチ切片１１，１２に接触可能とされ、切片７ｃ，１１および切片７ｃ，１２で２つの位置検出スイッチＳＷ１，ＳＷ２（図２）が構成される。スイッチＳＷ１，ＳＷ２のオン・オフ信号は、制御回路２０に入力される。
【００１４】
さらにロック部材７の図示右面には、撮影光軸Ｌを中心とする円環状の突部７ｅが形成されている。突部７ｅの頂部は全周に渡って断面が半円形とされる。突部７ｅの径は、円環溝３ａの径と同一であり、したがって突部７ｅは全体的に保持部材３の円環溝３ａに係合可能である。さらに、上記固定部材５の複数の突起５ａを結ぶ円とも突部７ｅと同径である。
【００１５】
以上の構成において、図１に示すロック状態では、ロック部材７の円環状突部７ｅは保持部材３の円環溝３ａに係合し、保持部材３はロック部材７により突起５ａに押し付けられている。防振レンズユニットＶＲＵは基準位置にあり（防振レンズ群２の光軸が撮影光軸Ｌと一致しており）、この状態で防振レンズユニットＶＲＵの光軸Ｌ方向および光軸Ｌと直交する方向の移動が阻止されている。
【００１６】
ロック状態で不図示のレリーズボタンが半押し操作されると、制御回路２０は防振駆動を開始するが、それに先だってロックを解除すべくモータ８を駆動する。これに伴い、ギア９，７ｄを介してロック部材７が所定方向に回転し、ロック部材７はねじ作用により図示Ｂ方向に螺退する。ロック部材７の退避に伴い、円環状突部７ｅが保持部材３の円環溝３ａから脱し、ロック部材７による押圧は解除される。ロック部材７が図３の位置（ロック解除位置）まで至ると、スイッチ切片７ｃが切片１１に接触し、スイッチＳＷ１がオンとなる。制御回路２０は、スイッチＳＷ１のオンに伴ってモータ８を停止する。
【００１７】
図３の状態では、保持部材３は弾性部材６の付勢力によってのみ突起５ａに押圧されている。弾性部材６の付勢力は、保持部材３の防振方向の移動を妨げるほど強くはないので、防振駆動を支障なく行うことができる。制御回路２０は、不図示の振れセンサの出力に基づいて防振駆動を行う。図４は防振駆動中の様子を示し、防振レンズユニットＶＲＵが基準位置からＰ１だけ図示上方に移動している。
【００１８】
半押し操作解除から所定時間が経過すると、制御回路２０は防振駆動を終了すべく、防振駆動源への通電を断ち、防振レンズユニットＶＲＵを停止させる。従来は、通電を断つ前に防振レンズユニットの基準位置への駆動（以下、センタリング）を行っていたが、ここではセンタリングを行わずに直ちに通電を断つ。次いで制御回路２０は、モータ８を上述とは逆方向に駆動し、ギア９，７ｄを介してロック部材７を回転させ、図示Ａ方向に螺進させる。これにより円環状突部７ｅが円環溝３ａと係合し、保持部材３を固定部材５の突起５ａに押圧する。図１のロック状態に至ると、スイッチ切片７ｃが切片１２に接触し、スイッチＳＷ２がオンとなり、制御回路２０はモータ８を停止する。
【００１９】
このように本実施形態では、防振駆動を行わないときにはロック部材７で防振レンズ群２の保持部材３を光軸方向に押圧してその動きを規制するようにした。ロック部材７の押圧部分は、防振レンズ群２を囲繞する円環部であるため、保持部材３の光軸と直交するいかなる方向の移動をも阻止することができる。また、ロックピンによるロックで問題となっていたガタの発生や、防振レンズユニットのロックピン回りの回転といった不都合もなく、防振駆動を行わないときの防振レンズ位置を安定化させ、以て投影解像力の安定化が図れる。また、上述したように円環状突部７ｅの径は突起５ａを結ぶ円と同径であるから、突部７ｅによる押圧位置と突起５ａによる受け位置とにレンズ径方向のずれはない。したがって、押圧時にレンズ保持部材３に曲げ力が作用することはなく、その変形や破損を防止できる。
【００２０】
ここで、ロック部材７による保持部材３の押圧動作は、単なる防振レンズユニットＶＲＵのロックだけでなく、防振レンズユニットＶＲＵのセンタリング作用をももたらす。例えば図４の状態で防振駆動が終了したとすると、円環突部７ｅの断面における中心と円環溝３ａの同中心とはＰ１だけずれている。このずれ量Ｐ１は、そのまま防振レンズ群２の光軸と撮影光軸Ｌとのずれ量を表している。この状態でロック部材７がＡ方向に駆動され、突部７ｅが溝３ａに当接する。
【００２１】
図５は突部７ｅと溝３ａとの位置関係を示し、両者が当接した瞬間は、溝３ａは突部７ｅに対して二点鎖線で示す位置にある。ｔ１は、このときの溝３ａと突部７ｅの当接位置を表す。その後、突部７ｅが更にＡ方向に進むと、溝３ａの斜面が突部７ｅを摺動しつつ保持部材３が光軸と直交する方向に動き、ロック完了時には、実線で示すように溝３ａはｔ１，ｔ２の２箇所で突部７ｅと当接する。このとき、突部７ｅの断面における中心と溝３ａの同中心とが完全に一致し、防振レンズ群２の光軸が撮影光軸Ｌと一致する。突部７ｅは撮影光軸Ｌを中心とする円環状であり、溝３ａは防振レンズ群２の光軸を中心とする円環状であるから、防振レンズユニットＶＲＵが撮影光軸Ｌからいずれの方向にずれていても、上記センタリングは自動的になされる。
なお、図５では溝３ａの位置が紙面左右方向にずれているが、実際には上述の通り溝３ａは突部７ｅの移動に伴い紙面上下方向に移動する。
【００２２】
図６は防振レンズユニットＶＲＵが限界まで移動した状態を示している。このとき、防振レンズ群２の光軸ずれ量は最大（図３のＰｍ）となり、突起５ａと溝３ａのずれ量も同等である。この限界状態においても、突部７ｅの最先端部は溝３ａの縁部からＰ２だけ内側に位置しているので、何ら問題なく上記センタリングがなされる。
【００２３】
このように、防振レンズユニットＶＲＵのロック時にセンタリングが自動的になされるので、従来のように防振レンズユニットＶＲＵを防振駆動源によって基準位置に駆動する必要はなく、電源電池の節約が図れるとともに、ロックまでの時間を短縮できる。
【００２４】
なお以上では、ロック部材７の円環状の押圧部で保持部材を押圧したが、防振レンズ群２を囲繞する複数の箇所（突起など）で押圧するようにしてもよい。
【図面の簡単な説明】
【００２５】
【図１】一実施形態における像振れ補正装置の側面断面図で、防振レンズユニットのロック状態を示す。
【図２】ロック機構の制御系を示すブロック図。
【図３】図１と同様の図で、防振レンズユニットのロック解除状態を示す。
【図４】図１と同様の図で、防振駆動中の状態を示す。
【図５】ロック部材とレンズ保持部材との係合部分を示す拡大図。
【図６】防振レンズユニットの移動量が最大のときの両係合部の位置関係を示す図。
【符号の説明】
【００２６】
２  防振レンズ群
３  防振レンズ群の保持部材
３ａ  円環溝
７  押圧部材
７ａ  雄ねじ部
７ｅ  円環状突部
８  ロック駆動モータ
Ｌ  撮影光軸
【図１】
2007133009.tif 000003
【図２】
2007133009.tif 000004
【図３】
2007133009.tif 000005
【図４】
2007133009.tif 000006
【図５】
2007133009.tif 000007
【図６】
2007133009.tif 000008